(57)【要約】【課題】簡単な構成であって誰しも容易に扱え、しかも、製作コストも低廉になし得る円柱長尺物の湾曲判定具を提供する。【解決手段】水平な円柱長尺物Ｋの外周面ｋに配置されその湾曲度を判定する芯出し器１０と判定器２０とからなる。芯出し器１０は第一中央指示線１６を表示した透明な第一透視板１１を有し、判定器２０は第二・三中央指示線２５，２６を表示した平行で透明な第二・三透視板２１，２２を有し、第三中央指示線２６と平行をなしかつ該第三中央指示線２６から所定の距離離して円柱長尺物Ｋの先端側の湾曲度を判定し得る判定ライン３０を表示し、電柱Ｋの基端側の外周面に芯出器１０と判定器２０を先端側から基端側に向かって順に並びしかも所定の距離離して配置し、判定ライン３０を目安として円柱長尺物Ｋの湾曲度を判定し得るようにした。【選択図】図７
2008096160.tif 000002
【特許請求の範囲】
【請求項１】
水平に横臥される電柱等の円柱長尺物の基端側の外周面に配置し該円柱長尺物の先端側の湾曲度を判定する円柱長尺物の湾曲判定具であって芯出し器と判定器とから構成され、
前記芯出し器は第一中央指示線を設けた透明な第一透視板を有し、前記芯出し器を前記円柱長尺物の外周面に設置したとき前記第一透視板は前記円柱長尺物の中心軸線に対して直角をなしかつ前記第一中央指示線はその延長線が常に該円柱長尺物の中心軸線と交差し、
前記判定器は第二中央指示線を設けた透明な第二透視板と該第二透視板と平行をなすと共に第三中央指示線を設けた透明な第三透視板とを有し、前記判定器を前記円柱長尺物の外周面に設置したとき前記第二透視板及び第三透視板は前記円柱長尺物の中心軸線に対し直角をなしかつ前記第二中央指示線及び第三中央指示線はそれら延長線が常に該円柱長尺物の中心軸線と交差し、
前記第三透視板に前記第三中央指示線と平行をなしかつ該第三中央指示線から所定の距離離して前記円柱長尺物の先端側の湾曲度を判定し得る判定ラインを設け、前記電柱の基端側の外周面に芯出し器がその先端側に位置するようにして芯出し器と判定器とを所定の距離離して配置し、前記判定ライン３０を目安として円柱長尺物Ｋの湾曲度を判定し得るようにしたことを特徴とする円柱長尺物の湾曲判定具。
【請求項２】
前記第三透視板の一側面に両側縁が前記第三中央指示線と平行をなしかつその一側面に沿って該第三中央指示線と直交する方向へ自在に移動する湾曲判定バーを設け、前記湾曲判定バーの両側縁を前記円柱長尺物の先端側の湾曲度を判定し得る判定ラインとした請求項１記載の円柱長尺物の湾曲判定具。
【発明の詳細な説明】
【技術分野】
【０００１】
本発明は、一度使用され撤去後の電柱等の円柱長尺物を再使用する場合、その先端側の湾曲度を確認して該円柱長尺物が再使用できるか否か甲・乙判定するための円柱長尺物の湾曲判定具に関するものである。
【背景技術】
【０００２】
従来、円柱長尺物として例えばコンクリート製の電柱がある。該電柱は地上に建てられ電線が架設されるが、亀裂や疲労による強度低下などによって倒壊する危険性を防止する主旨から前記電柱を地上から非破壊でその湾曲程度を測定する装置が開発されている。この装置は、電柱の全体像を撮像し、画像処理により電柱輪郭線を求め、その電柱輪郭線に最も重なり度合いの大きい仮定直線と仮定折れ線をそれらの線が通る座標の濃度値の加算値の最大値で求め、その仮定直線と仮定折れ線の重なり度合いの比較により、その曲がりを数学的幾何学的に演算、評価するものである（例えば、特許文献１参照。）。
【０００３】
一方、一度使用され撤去後に保管されていたコンクリート製の電柱を再利用のため使用する場合がある。この場合も、その電柱の先端側の湾曲度を判定し許容範囲内にあるものが甲品として使用される。例えば、コンクリート製の電柱の元口（基端）の中心軸線と末口（先端）の中心軸線とのずれが５００ｍｍ未満であれば、甲品として処理され使用されるが、５００ｍｍ以上であると乙品として処理され再使用できないようにしている。この判定は、熟練した作業者が水平に横臥される前記電柱を目視により観察し、経験と感に基づき再使用できるか否かその湾曲度を判定していた。
【０００４】
【特許文献１】特開平６−９４４４２号公報（第２−４頁、図１）
【発明の開示】
【発明が解決しようとする課題】
【０００５】
しかしながら、前記水平に横臥されるコンクリート製の電柱を目視により観察しその湾曲度を判断することは、主観的であってしかも個人差があることから判定に正確性を欠き好ましいことではない。一方、前記特許文献１に記載された電柱の湾曲程度を測定する装置を用い測定して判定することも考えられるが、この場合は、その装置が大型化し設置作業も大掛かりとなり、しかも、電柱の全体像を撮像したり電柱輪郭線を求めたり演算を行うなど専門的な知識を必要とし誰しも容易に扱えないばかりか、装置全体の製作コストも高いといった課題がある。
【０００６】
そこで、本発明は上記課題を解決すべくなされたもので、簡単な構成であって誰しも容易に扱えしかも製作コストも低廉になし得る円柱長尺物の湾曲判定具を提供することを目的とするものである。
【課題を解決するための手段】
【０００７】
かかる目的を達成するため本発明の円柱長尺物の湾曲判定具は、水平に横臥される電柱等の円柱長尺物の基端側の外周面に配置し該円柱長尺物の先端側の湾曲度を判定する円柱長尺物の湾曲判定具であって芯出し器と判定器とから構成され、前記芯出し器は第一中央指示線を設けた透明な第一透視板を有し、前記芯出し器を前記円柱長尺物の外周面に設置したとき前記第一透視板は前記円柱長尺物の中心軸線に対して直角をなしかつ前記第一中央指示線はその延長線が常に該円柱長尺物の中心軸線と交差し、前記判定器は第二中央指示線を設けた透明な第二透視板と該第二透視板と平行をなすと共に第三中央指示線を設けた透明な第三透視板とを有し、前記判定器を前記円柱長尺物の外周面に設置したとき前記第二透視板及び第三透視板は前記円柱長尺物の中心軸線に対し直角をなしかつ前記第二中央指示線及び第三中央指示線はそれら延長線が常に該円柱長尺物の中心軸線と交差し、前記第三透視板に前記第三中央指示線と平行をなしかつ該第三中央指示線から所定の距離離して前記円柱長尺物の先端側の湾曲度を判定し得る判定ラインを設け、前記電柱の基端側の外周面に芯出し器がその先端側に位置するようにして芯出し器と判定器とを所定の距離離して配置し、前記判定ライン３０を目安として円柱長尺物Ｋの湾曲度を判定し得るようにしたことを特徴とする。
【０００８】
この場合、前記第三透視板の一側面に両側縁が前記第三中央指示線と平行をなしかつその一側面に沿って該第三中央指示線と直交する方向へ自在に移動する湾曲判定バーを設け、前記湾曲判定バーの両側縁を前記円柱長尺物の先端側の湾曲度を判定し得る判定ラインとすることが好ましい。
【発明の効果】
【０００９】
本発明に係る円柱長尺物の湾曲判定具は、芯出し器と判定器とからなり、水平に横臥される円柱長尺物の外周面であってその基端側の所定の位置に芯出し器と判定器とを配置し、判定器の第二・第三透視板および芯出し器の第一透視板を介して先端側を見ることによってその円柱長尺物の先端側の湾曲度を判定すれば良く、簡単な構成であって誰しも容易に扱えしかも製作コストも低廉になし得るという効果がある。
【００１０】
また、第三透視板の一側面に両側縁が前記第三中央指示線と平行をなしかつその一側面に沿って該第三中央指示線と直交する方向へ自在に移動する湾曲判定バーを設け、前記湾曲判定バーの両側縁を前記円柱長尺物の先端側の湾曲度を判定し得る判定ラインとすれば、湾曲判定バーを第三中央指示線と直交する方向へ自在に移動させることにより、種々の異なるサイズの電柱にも容易に判定ラインの設定ができ、使い勝手が良いという効果が有る。
【発明を実施するための最良の形態】
【００１１】
以下、本発明に係る円柱長尺物の湾曲判定具の実施の形態を図面に基づき説明する。円柱長尺物には、例えばコンクリート製の電柱、木製の電柱、コンクリート製の支柱、木製の支柱が有り、いずれにも本発明は使用できるがコンクリート製の電柱に使用される場合について説明する。図１は本発明に係る芯出し器の斜視図、図２は図１のＶ−Ｖ線断面図、図３は本発明に係る判定器の斜視図、図４は図３のＷ−Ｗ線断面図、図５は図３のＸ−Ｘ線断面図である。本発明に係る円柱長尺物の湾曲判定具Ａは、互いに独立した芯出し器１０と判定器２０とから構成されている。これら芯出し器１０と判定器２０とはほぼ同じような形状からなる。
【００１２】
そこで、まず芯出し器１０について説明する。該芯出し器１０は判定器２０の精度を高めるために用いられるものであり、透明な第一透視板１１と該第一透視板１１を保持する台座部１２とからなる。第一透視板１１は、透明な硬質の合成樹脂板からなり一辺が例えば１５０ｍｍの正方形状に成形される。台座部１２は、金属板を折曲して成形され、長方形状の台板１２ａと該台板１２ａの両端から同じ長さで直角に下方へ折れ曲る長方形状の一対の脚板１２ｂ，１２ｂを有する。そして、第一透視板１１を台板１２の上面中央に両脚板１２ｂ，１２ｂと直角となる方向に沿って平行に配置し、その下端縁部を台板１２ａに固着される断面Ｌ型の取付板１３の起立板１３ａの一側面に当接し、所定個所をネジ１４によってネジ止めすることにより台座部１２の上面に第一透視板１１が立設され一体に組み付けられる。汚れたり破損した場合は、ネジ１４を外して第一透視板１１が交換可能である。
【００１３】
前記第一透視板１１には、その一側面の中央に台板１２ａと直交する第一中央指示線１６が表示される。この場合、該第一中央指示線１６は黄色である。そして、図９に示すように使用済みのコンクリート製の電柱Ｋの外周面ｋに、その両脚板１２ｂ，１２ｂが共に周方向に位置するようにして芯出し器１０を配置したとき、両脚板１２ｂ，１２ｂの下端縁１２ｃ全体が前記外周面ｋに接し、前記第一中央指示線１６の延長線が前記電柱Ｋの中心軸線Ｃと交差するようになっている。
【００１４】
また、第一透視板１１の一側であって台板１２ａの上面に、水平器１５が固着される。この水平器１５は、支持枠１５ａの上部に密閉状の透明な測定管１５ｂが取着されている。該測定管１５ｂ内には、気泡が残るようにして所定量の液体が詰められている。前記第一透視板１１の上端両角部には、両角部の無用な破損を防止するためゴム製のカバー部材１７が被着されている。芯出し器１０を水平面上に置いたとき、前記水平器１５における測定管１５ｂ内の気泡はその中心に位置する。
【００１５】
次に、判定器２０について説明する。判定器２０は、前記電柱Ｋの先端側の湾曲度を判定するためのものであり、透明な第二透視板２１と同じく透明な第三透視板２２とこれら第二透視板２１と第三透視板２２を保持する台座部２３とからなる。第二透視板２１と第三透視板２２とは、透明な硬質の合成樹脂板からなり例えば縦１７５、横１５０ｍｍの長方形状に成形される。台座部２３は、金属板を折曲して成形され、長方形状の台板２３ａと該台板２３ａの両端から同じ長さで直角に下方へ折れ曲る長方形状の一対の脚板２３ｂ，２３ｂを有する。第二透視板２１及び第三透視板２２は、台板２３ａの上面両側に両脚板２３ｂ，２３ｂと直角をなす方向に沿って平行にかつ所定の間隔離して配置する。これにより、第二透視板２１及び第三透視板２２が必然的に平行に配置される。そして、それら下端縁部を台板２３ａに固着される断面Ｌ型の取付板２４の起立板２４ａの一側面に当接し、所定個所をネジ１４によりネジ止めすることにより、台座部２３の上面に第二透視板２１及び三透視板２２が立設され一体に組み付けられる。この場合も、第二・第三透視板２１，２２はネジ１４を外すことにより交換可能である。
【００１６】
前記第二透視板２１には、その一側面の中央に台板２３ａと直交する第二中央指示線２５が表示される。この場合、該第二中央指示線２５は黒色である。また、前記第三透視板２２にも、その一側面の中央に台板２３ａと直交しかつ正面から第二透視板２１を見て第二中央指示線２５と一直線上に重なる第三中央指示線２６が表示される。該第三中央指示線２６も黒色である。
【００１７】
また、第三透視板２２の一側面であって第三中央指示線２６の両側に、それぞれ水平に横臥されるコンクリート製の電柱Ｋの先端側の湾曲度を判定する際、その湾曲度が許容範囲内にあるか否かの目安となる複数本の判定ライン３０が第三中央指示線２６から所定の距離離して表示されている。これら判定ライン３０は、判定するコンクリート製の電柱Ｋのサイズによって前記所定の距離が異なる。この場合、４種類のサイズの電柱Ｋが判定できるように、それら電柱Ｋに適合させ第三中央指示線２６の両側に左右対称に位置させて４種類の判定ライン３０ａ〜３０ｄが表示されている。これら４組の判定ライン３０ａ〜３０ｄは互いに異なる色に着色され、誤認がないようにしてある。よって、例えば、常に一定のサイズのコンクリート製の電柱Ｋを判定するには、前記第三透視板２２の一側面であって第三中央指示線２６の両側に、それぞれ所定の距離離して一本の判定ライン３０を表示するようにしても良い。また、判定ライン３０は、二本または三本表示するようにしても良い。
【００１８】
図９に示すように前記電柱Ｋの外周面ｋに、その両脚板２３ｂ，２３ｂが共に周方向に位置するようにして判定器２０を配置したとき、両脚板２３ｂ，２３ｂの下端縁２３ｃ，２３ｃ全体が前記外周面ｋに接し、前記第二中央指示線２５及び第三中央指示線２６の延長線が共に前記電柱Ｋの中心軸線Ｃと交差するようになっている。
【００１９】
また、第二透視板２１と第三透視板２２の間であって台板２３ａの上面に、前記同様に水平器１５が固着される。この水平器１５も、支持枠１５ａの上部に密閉状の透明な測定管１５ｂが取着されている。該測定管１５ｂ内には気泡が残るようにして所定量の液体が詰められている。また、前記第二・三透視板２１，２２の上端両角部にも、両角部の無用な破損を防止するためゴム製のカバー部材１７が被着されている。
【００２０】
通常、撤去後のコンクリート製の電柱Ｋを再利用する場合、電柱Ｋの先端（末口）ｓ側が湾曲することによりその電柱Ｋにおける中心軸線Ｃに対する末口ｓの中心軸線Ｃ１のずれが５００ｍｍ未満であると、その電柱Ｋは再使用可能すなわち甲品扱いとされる。一方、電柱Ｋの中心軸線Ｃに対する末口ｓの中心点Ｃ１のずれが５００ｍｍ以上であると、その電柱Ｋは再使用不可能すなわち乙品扱いとされる。また、電柱Ｋは一般に１０ｍ〜１６ｍの幅で種々のサイズのものがあるが、前記判定の基準となる値５００ｍｍは、どの長さ寸法の電柱Ｋにあっても一定としている。
【００２１】
そこで、判定器２０は電柱Ｋの基端（元口）ｍから末口ｓ側へ１００ｃｍの距離離れた位置に第三透視板２２が元口ｍ側に位置するようにして配置される。図８に示すように電柱Ｋの長さＨ、判定の基準となる値５００ｍｍ、元口ｍから判定器２０までの距離Ｌ、判定器２０における判定値（第三中央指示線２６（電柱の中心軸線Ｃ）から判定ライン３０までの距離）Ｄの関係は、三角形の相似関係になる。これを数式で表すと、Ｈ：Ｌ＝５００：Ｄになる。Ｈは１０〜１６ｍ、Ｌは１００ｃｍである。但し、実際に判定する場合、電柱Ｋの末口ｓの中心点Ｃ１は正確に測定できないため、電柱Ｋの末口ｓの外周縁ｓ１で判定するようにする。よって、電柱Ｋの末口ｍの直径が１９０ｍｍであることから、その半径９５ｍｍを前記判定の基準となる値５００ｍｍに加え、前記数式をＨ：Ｌ＝５９５：Ｄに修正する。
【００２２】
前記修正した数式に基づいて、電柱Ｋの長さが１０、１２、１４、１６ｍの場合の各中心軸線Ｃ（第三中央指示線２６）から各判定ライン３０ａ〜３０ｄまでの距離Ｄを計算すると、次の表１に示されるようになる。例えば長さＨが１０ｍの電柱Ｋにあっては、末口ｓの中心点Ｃ１が電柱Ｋの中心軸線Ｃに対して５００ｍｍずれているとき、電柱Ｋの中心軸線Ｃから判定ライン３０ａまでの距離Ｄが６３．５ｍｍとなる。そこで、電柱Ｋの末口ｓの外周縁ｓ１が前記判定ライン３０ａを越えずにそれ以内に収まっているときは再使用可能な甲品扱いされる。一方、電柱Ｋの末口ｓの外周縁ｓ１が前記判定ライン３０ａを越えているときは再使用不可能な乙品扱いされることになる。
【００２３】
【表１】
2008096160.tif 000003
【００２４】
本発明に係る円柱長尺物の湾曲判定具Ａは上記構成からなり、次にその使用方法について説明する。コンクリート製の電柱Ｋの長さＨは１６ｍとする。まず、ほぼ水平に横臥される使用済みのコンクリート製の電柱Ｋを見て、その末口ｓ側がどの程度湾曲しているかその湾曲度を目視により判断し、その湾曲する方向をほぼ地面と平行にする。このとき、前記電柱Ｋを元口ｍから末口ｓ側を見た場合、その末口ｓ側は左右いずれかに湾曲していることになる。この場合、図７に示すように末口ｓ側が向かって右側へ湾曲しているものとする。
【００２５】
次に、図６に示すようにコンクリート製の電柱Ｋの外周面ｋであって、元口ｍから末口ｓに向かって１００ｃｍの位置に第三透視板２２が元口ｍ側に位置するようにして判定器２０を配置し、前記電柱Ｋの外周方向に沿って摺動させ、水平器１５の気泡が測定管１５ｂの中央に来るように調整する。同様に、元口ｍから末口ｓに向かって２００ｃｍの位置に芯出し器１０を配置し、前記電柱Ｋの外周方向に沿って摺動させ、水平器１５の気泡が測定管１５ｂの中央に来るように調整する。これら判定器２０と芯出し器１０は、いずれも両脚板１２ｂ，１２ｂ、２３ｂ，２３ｂが電柱Ｋの外周面ｋの周方向に沿って位置し、それら下端縁１２ｃ，１２ｃ，２３ｃ，２３ｃは全体が外周面ｋに接することになる。
【００２６】
この状態では、第一透視板１１、第二透視板２１及び第三透視板２２がいずれも平行をなし、第一中央指示線１６、第二中央指示線２５及び第三中央指示線２６の延長線はいずれもコンクリート製電柱Ｋの中心軸線Ｃと交差することになる。これは、芯出し器１０または判定器２０を外周面ｋの周囲に沿って摺動させた場合、いずれの位置でも同じことが言える。この状態で元口ｍから判定器２０の第三透視板２２、第二透視板２１及び芯出し器１０の第一透視板１１を覗いたとき、第一中央指示線１６と第二・第三中央指示線２５，２６が一直線上に重なっていれば芯出し器１０及び判定器２０が正規の位置に配置できたことになる。一方、前記各第一・第二・第三中央指示線１６，２５，２６が一直線上に重ならないときは、判定器２０が前記電柱Ｋの中心軸線Ｃに対し捩れた位置に配置されていることになるため、第二・第三中央指示線２５，２６が重なるように判定器２０を左右どちらかへ回動させて位置調整をする。
【００２７】
そして、図７に示すように元口ｍから覗いて二本の第二・第三中央指示線２５，２６と第一中央指示線１６の計三本が一直線状に重なるように視線を移動させる。この状態で視線が動かないように注意しながら電柱Ｋの末口ｓの外周縁ｓ１が前記判定ライン３０ｄの内側（左側）または外側（右側）にあるかどうかを判定する。そこで、図７実線に示すように末口ｓの外周端ｓ１が一番内側の判定ライン３０ｄの内側（左側）にあるときは、湾曲度が許容範囲内にあることになり、甲品とされ再使用が可能であると判断される。一方、図７鎖線に示すように末口ｓの外周縁ｓ１が判定ライン３０ｄの外側（右側）にあるときは、湾曲度が許容範囲外にあることになり、乙品とされ再使用が不可能であると判断される。他のサイズの電柱Ｋについても同様にして判定できる。
【００２８】
このように、本発明に係る円柱長尺物の湾曲判定具Ａは、芯出し器１０と判定器２０とからなり、水平に横臥されるコンクリート製の電柱Ｋの外周面ｋであってその元口ｍ側に芯出し器１０と判定器２０とを所定の距離離して配置し、判定器２０の第二・第三透視板２１，２２および芯出し器１０の第一透視板１１を介して末口ｓ側を見ることによってその電柱Ｋの湾曲度を判定すれば良く、簡単な構成であって誰しも容易に扱えしかも製作コストも低廉になし得る。
【００２９】
図１０乃至図１６は他の実施の形態の係る円柱長尺物の湾曲判定具を示すものである。この場合、芯出し器は本実施の形態と同じものが使用され、判定器にあっては本実施の形態と基本的な構成が同一なので、いずれも同一部位は同一番号を附すことにより詳しい説明は省略する。図１０は他の実施の形態に係る判定器の斜視図、図１１は図１０のＹ−Ｙ線断面図、図１２は図１０のＺ−Ｚ線断面図である。他の実施の形態に係る円柱長尺物の湾曲判定具Ａ１も、互いに独立した芯出し器１０と判定器５０とから構成される。これら芯出し器１０と判定器５０とはほぼ同じような形状からなる。
【００３０】
他の実施の形態に係る判定器５０について説明する。判定器５０は、前記電柱Ｋの湾曲度を判定するためのものであり、透明な第二透視板２１と同じく透明な第三透視板２２とこれら第二透視板２１と第三透視板２２を保持する台座部２３とからなる。第二透視板２１と第三透視板２２とは、透明な硬質の合成樹脂板からなり例えば縦１７５、横１５０ｍｍの長方形状に成形される。台座部２３は、金属板を折曲して成形され、長方形状の台板２３ａと該台板２３ａの両端から同じ長さで直角に下方へ折れ曲る長方形状の一対の脚板２３ｂ，２３ｂを有する。第二透視板２１及び第三透視板２２は、台板２３ａの上面両側に両脚板２３ｂ，２３ｂと直角をなす方向に沿って平行にかつ所定の間隔離して配置する。これにより、第二透視板２１及び第三透視板２２が必然的に平行に配置される。そして、それら下端縁部を台板２３ａに固着される断面Ｌ型の取付板２４の起立板２４ａの一側面に当接し、所定個所をネジ１４によりネジ止めすることにより、台座部２３の上面に第二透視板２１及び三透視板２２が立設され一体に組み付けられる。この場合も、第二・第三透視板２１，２２はネジ１４を外すことにより交換可能である。
【００３１】
前記第二透視板２１には、その一側面の中央に台板２３ａと直交する第二中央指示線２５が表示される。この場合、該第二中央指示線２５は黒色である。また、前記第三透視板２２にも、その一側面の中央に台板２３ａと直交しかつ第二透視板２１を正面から見て第二中央指示線２５と一直線上に重なる第三中央指示線２６が表示される。該第三中央指示線２６も黒色である。そして、図１６に示すように前記電柱Ｋの外周面ｋに、その両脚板２３ｂ，２３ｂが共に周方向に位置するようにして判定器２０を配置したとき、両脚板２３ｂ，２３ｂの下端縁２３ｃ全体が前記外周面ｋに接し、前記第二中央指示線２５及び第三中央指示線２６の延長線が共に前記電柱Ｋの中心軸線Ｃと交差するようになっている。
【００３２】
第三透視板２２の一側面には、中央に表示された第三中央指示線２６と直交するようにして上下一対の目盛り板２７，２７が配設される。各目盛り板２７は、第三中央指示線２６に「０」の目盛りが一致させてあり、その両側に「１０，２０，３０…７０ｍｍ」の目盛りがそれぞれ対称的に示されている。両目盛り板２７，２７間には湾曲判定バー２８が配置される。該湾曲判定バー２８は、幅約１０ｍｍ、長さ約１３０ｍｍの縦長長方形状の硬質合成樹脂製の判定基板２８ａからなる。そして、該判定基板２８ａの裏側の上下両端部に、前記各目盛り板２７が挿通される横溝２８ｂを備えた支持板部２８ｃが固着される。上側の支持板部２８ｃには、その上面に横溝２８ｂに達するネジ溝２９ａが貫設され、該ネジ溝２９ａに調整ネジ２９ｂが螺入されている。
【００３３】
そこで、前記上下の横溝２８ｂ，２８ｂに両目盛り板２７，２７を挿通することにより、湾曲判定バー２８が両目盛り板２７，２７、すなわち、第三透視板２２の一側面に沿って左右に移動でき、また、調整ネジ２９ｂを締めることによりその位置で固定できるようになっている。この際、判定基板２８ａの両側縁が第三透視板２２の一側面に表示される判定ライン３０，３０となり、これら判定ライン３０，３０は常に第三中央指示線２６と平行となるように設定される。そして、目盛り板２７の「０」の目盛りすなわち第三中央指示線２６から判定ライン３０までの距離Ｄ、換言すると前記電柱Ｋの中心軸線Ｃから判定ライン３０までの距離Ｄ、が後記する各電柱Ｋの先端側の湾曲度の判定寸法（判定値）になる。
【００３４】
また、第二透視板２１と第三透視板２２の間であって台板２３ａの上面に、前記同様に水平器１５が固着される。この水平器１５も、支持枠１５ａの上部に密閉状の透明な測定管１５ｂが取着されている。該測定管１５ｂ内には気泡が残るようにして所定量の液体が詰められている。また、前記第二・三透視板２１，２２の上端両角部にも、両角部の無用な破損を防止するためゴム製のカバー部材１７が被着されている。
【００３５】
そこで、判定器５０は電柱Ｋの基端（元口）ｍから末口ｓ側へ１００ｃｍの距離離れた位置に第三透視板２２が末口ｓ側に位置するようにして配置される。図１５に示すように電柱Ｋの長さＨ、判定の基準となる値５００ｍｍ、元口ｍから判定器２０までの距離Ｌ、判定器２０における判定値（第三中央指示線２６（電柱の中心軸線）から判定ライン３０までの距離）Ｄの関係は、三角形の相似関係になる。これを数式で表すと、Ｈ：Ｌ＝５００：Ｄになる。Ｈは１０〜１６ｍ、Ｌは１００ｃｍである。但し、実際に判定する場合、電柱Ｋの末口ｓの中心点Ｃ１は正確に測定できないため、電柱Ｋの末口ｓの外周縁ｓ１で判定するようにする。よって、電柱Ｋの末口ｍの直径が１９０ｍｍであることから、その半径９５ｍｍを前記判定の基準となる値５００ｍｍに加え、前記数式をＨ：Ｌ＝５９５：Ｄに修正する。
【００３６】
前記修正した数式に基づいて、電柱Ｋの長さが１０、１２、１４、１６ｍの場合の各中心軸線Ｃから湾曲判定バー２８の判定ライン３０までの距離Ｄを計算すると、前記の表１に示されるようになる。例えば長さＨが１０ｍの電柱Ｋにあっては、末口ｓの中心点Ｃ１が電柱Ｋの中心軸線Ｃに対して５００ｍｍずれているとき、電柱Ｋの中心軸線Ｃから判定ラインまでの距離Ｄが６３．５ｍｍとなる。そこで、電柱Ｋの末口ｓの外周縁ｓ１が前記判定ライン３０を越えずにそれ以内に収まっているときは再使用可能な甲品扱いされる。一方、電柱Ｋの末口ｓの外周縁ｓ１が前記判定ライン３０を越えているときは再使用不可能な乙品扱いされることになる。
【００３７】
他の実施の形態に係る円柱長尺物の湾曲判定具Ａ１は上記構成からなり、次にその使用方法について説明する。コンクリート製の電柱Ｋの長さＨは１０ｍとする。まず、ほぼ水平に横臥される使用済みのコンクリート製の電柱Ｋを見て、その末口ｓ側がどの程度湾曲しているかその湾曲度を目視により判断し、その湾曲する方向をほぼ地面と平行にする。このとき、前記電柱Ｋを元口ｍから末口ｓ側を見た場合、その末口ｓ側は左右いずれかに湾曲していることになる。この場合、図１４に示すように末口ｓ側が向かって右側へ湾曲しているものとする。
【００３８】
前記電柱Ｋの末口ｓ側が右側へ湾曲しているので、判定器５０における湾曲判定バー２８を両目盛り板２７，２７に沿って「０」の目盛りよりも正面から見て右側へ移動させる。しかも、この場合前記表１より第三中央指示線２６（電柱Ｋの中心軸線Ｃ）から湾曲判定バー２８の判定基板２８ａの左側の判定ライン３０までの距離Ｄが６３．５ｍｍであるので、その距離に合わせて湾曲判定バー２８を移動させ一致させる。この状態で、調整ネジ２９ｂを締めて湾曲判定バー２８をその位置に固定させる。
【００３９】
次に、図１３に示すようにコンクリート製の電柱Ｋの外周面ｋであって、元口ｍから末口ｓに向かって１００ｃｍの位置に第三透視板２２が末口ｓ側に位置するようにして判定器５０を配置し、前記電柱Ｋの外周方向に沿って摺動させ、水平器１５の気泡が測定管１５ｂの中央に来るように調整する。同様に、元口ｍから末口ｓに向かって２００ｃｍの位置に芯出し器１０を配置し、前記電柱Ｋの外周方向に沿って摺動させ、水平器１５の気泡が測定管１５ｂの中央に来るように調整する。これら判定器５０と芯出し器１０は、いずれも両脚板１２ｂ，１２ｂ、２３ｂ，２３ｂが電柱Ｋの外周面ｋの周方向に沿って位置し、それら下端縁１２ｃ，１２ｃ，２３ｃ，２３ｃは全体が外周面ｋに接することになる。
【００４０】
この状態では、第一透視板１１、第二透視板２１及び第三透視板２２がいずれも平行をなし、第一中央指示線１６、第二中央指示線２５及び第三中央指示線２６の延長線はいずれもコンクリート製電柱Ｋの中心軸線Ｃに交差することになる。これは、芯出し器１０または判定器５０を外周面ｋの周囲に沿って摺動させた場合、いずれの位置でも同じことが言える。この状態で元口ｍから判定器５０の第二透視板２１、第三透視板２２及び芯出し器１０の第一透視板１１を覗いたとき、第一中央指示線１６と第二・第三中央指示線２５，２６が一直線上に重なっていれば芯出し器１０及び判定器５０が正規の位置に配置できたことになる。一方、前記各第一・第二・第三中央指示線１６，２５，２６が一直線上に重ならないときは、判定器５０が前記電柱Ｋの中心軸線Ｃに対し捩れた位置に配置されていることになるため、第二・第三中央指示線２５，２６が重なるように判定器５０を左右どちらかへ回動させて位置調整をする。
【００４１】
そして、図１４に示すように元口ｍから覗いて二本の第二・第三中央指示線２５，２６と第一中央指示線１６の計三本が一直線状に重なるように視線を移動させる。この状態で視線が動かないように注意しながら電柱Ｋの末口ｓの外周縁ｓ１が前記湾曲判定バー２８における左側の判定ライン３０の内側（左側）または外側（右側）にあるかどうかを判定する。そこで、図１４実線に示すように末口ｓの外周端ｓ１が判定ライン３０の内側（左側）にあるときは、湾曲度が許容範囲内にあることになり、甲品とされ再使用が可能であると判断される。一方、図１４鎖線に示すように末口ｓの外周縁ｓ１が判定ライン３０の外側（右側）にあるときは、湾曲度が許容範囲外にあることになり、乙品とされ再使用が不可能であると判断される。
【００４２】
このように、他の実施の形態に係る円柱長尺物の湾曲判定具Ａ１は、芯出し器１０と判定器５０とからなり、水平に横臥されるコンクリート製の電柱Ｋの外周面ｋであってその元口ｍ側に芯出し器１０と判定器５０とを所定の距離離して配置し、判定器５０の第二・第三透視板２１，２２および芯出し器１０の第一透視板１１を順に介して末口ｓ側を見ることによってその電柱Ｋの湾曲度を判定すれば良く、簡単な構成であって誰しも容易に扱えしかも製作コストも低廉になし得る。
【００４３】
特に、他の実施の形態における判定器５０にあっては、湾曲判定バー２８が目盛り板２７，２７に沿ってスライドできるようにしているので、将来的に例えば１１ｍ、１３ｍ、１５ｍの長さの電柱や甲乙湾曲量の判定基準が５００ｍｍ以外に見直された場合でも、前記数式から判定器５０の位置における判定値Ｄを導き出すようにすれば、その判定値Ｄが簡単にセットでき至便である。
【図面の簡単な説明】
【００４４】
【図１】本発明に係る芯出し器の斜視図。
【図２】図１のＶ−Ｖ線断面図。
【図３】本発明に係る判定器の斜視図。
【図４】図３のＷ−Ｗ線断面図。
【図５】図３のＸ−Ｘ線断面図。
【図６】使用状態を示すコンクリート製電柱の元口側の斜視図。
【図７】コンクリート製電柱の元口側から末口側を見た斜視図。
【図８】電柱の中心軸線から判定ラインまでの距離を算出するための簡略図。
【図９】芯出し器や判定器が電柱の外周面を周動する状態を示す電柱の断面図。
【図１０】他の実施の形態に係る芯出し器の斜視図。
【図１１】図１０のＹ−Ｙ線断面図。
【図１２】図１０のＺ−Ｚ線断面図。
【図１３】使用状態を示すコンクリート製電柱の元口側の斜視図。
【図１４】コンクリート製電柱の元口側から末口側を見た斜視図。
【図１５】電柱の中心軸線から判定ラインまでの距離を算出するための簡略図。
【図１６】芯出し器や判定器が電柱の外周面を周動する状態を示す電柱の断面図。
【符号の説明】
【００４５】
１０          芯出し器
１１          第一透視板
１２          台座部
１６          第一中央指示線
２０          判定器
２１          第二透視板
２２          第三透視板
２３          台座部
２５          第二中央指示線
２６          第三中央指示線
２８          湾曲判定レバー
５０          判定器
Ａ            円柱長尺物の湾曲判定具
Ａ１          円柱長尺物の湾曲判定具
Ｃ            中心軸線
Ｋ            円柱長尺物（コンクリート製の電柱）
ｋ            外周面
【図１】
2008096160.tif 000004
【図２】
2008096160.tif 000005
【図３】
2008096160.tif 000006
【図４】
2008096160.tif 000007
【図５】
2008096160.tif 000008
【図６】
2008096160.tif 000009
【図７】
2008096160.tif 000010
【図８】
2008096160.tif 000011
【図９】
2008096160.tif 000012
【図１０】
2008096160.tif 000013
【図１１】
2008096160.tif 000014
【図１２】
2008096160.tif 000015
【図１３】
2008096160.tif 000016
【図１４】
2008096160.tif 000017
【図１５】
2008096160.tif 000018
【図１６】
2008096160.tif 000019